(57)【特許請求の範囲】
【請求項１】
複数の音楽信号が楽曲の演奏時間情報と共に記録された記録領域と、当該記録領域間に設けられた無記録領域とを有する記録媒体を再生する信号再生装置において、
前記記録媒体の記録領域から前記音楽信号を読み出して再生する記録再生手段と、
前記無記録領域を飛ばして前記音楽信号を再生するように前記記録再生手段を制御する制御手段とを備え、
前記制御手段は、
予め前記音楽信号の終了直前の所定長さを設定され、
再生される所定の前記音楽信号の演奏時間情報を、前記記録媒体から読み出して記憶し、
再生される前記所定の音楽信号を伝達され、
前記所定の音楽信号の演奏時間情報と前記終了直前の所定長さとに基づいて、伝達される前記所定の音楽信号が演奏終了直前の記録領域に到達したか否かを監視し、
前記終了直前の記録領域に到達したら、前記所定の音楽信号の中から特定の周波数帯の音楽信号を順次抽出し、
抽出された前記特定の周波数帯の音楽信号のレベルと、予め周波数帯毎に設定された基準レベルとを順次比較し、
前記音楽信号のレベルが前記基準レベルよりも低い基準未満時間が、予め設定された所定時間以上続いたか否かを判定し、
当該基準未満時間が前記所定時間以上続いた場合に、前記所定の音楽信号の記録領域から無記録領域を飛ばして、次の記録領域を再生するように制御することを特徴とする信号再生装置。
【請求項２】
前記基準レベルは、
可聴レベルに設定されることを特徴とする請求項１に記載の信号再生装置。
【請求項３】
前記制御手段は、
前記基準未満時間が５００ｍｓ以上続いた場合に、前記記録媒体の無記録領域を飛ばすように制御することを特徴とする請求項１に記載の信号再生装置。
【請求項４】
前記制御手段は、
複数のフィルタ列を有する周波数抽出手段を有し、
前記周波数抽出手段は、
前記音楽信号を前記複数のフィルタ列に入力して、特定の周波数帯別の複数の音楽分析信号を抽出し、
複数の周波数帯別の音楽分析信号のレベルと、予め周波数帯毎に設定された基準レベルとを順次比較することを特徴とする請求項１に記載の信号再生装置。
【発明の詳細な説明】
【０００１】
【発明の属する技術分野】
この発明は、任意の周波数の信号を記録した記録領域間に無記録領域が設けられた記録媒体を再生する信号再生装置及び信号再生方法に関する。
詳しくは、予め設定された記録領域の終了直前の所定長さの記録領域に記録再生手段による信号再生処理が到達したかを検出すると共に、終了直前の記録領域から再生された信号の中から特定の周波数の信号を抽出し、その抽出された信号のレベルと、予め設定された基準レベルとを比較し、その比較結果に基づいて記録媒体の無記録領域を飛ばすように記録再生手段を制御する制御手段を設け、無記録領域を飛ばす機能における正確性の向上を図るようにしたものである。
【０００２】
【従来の技術】
近年、技術の発展にともない信号を記録する様々な記憶媒体や、その記憶媒体に記録された信号を再生する再生装置が普及しつつある。例えばコンパクトディスク（Ｃｏｍｐａｃｔ  Ｄｉｓｋ：以下、ＣＤという。）やミニディスク（Ｍｉｎｉ  Ｄｉｓｋ：以下、ＭＤという。）を再生するＣＤプレーヤーやＭＤプレーヤーがその一例である。これら再生装置には様々な機能が設けられており、例えばダンスミュージック等を再生するときに最適な、曲間を飛ばして連続再生するブランクスキップ機能等がある。
このブランクスキップ機能は従来方式によれば再生された音楽信号から予め設定された一部の音楽信号だけを取り出して、その音楽信号レベルと予め設定された基準レベルとを比較して無記録領域を飛ばすようになされている。
【０００３】
【発明が解決しようとする課題】
しかしながら、従来方式によれば、再生された音楽信号から予め設定された一部の音楽信号だけを取り出して、その音楽信号レベルと予め設定された基準レベルとを比較して無記録領域を飛ばすため、再生された音楽信号に対して予め設定された一部の音楽信号のレベルしか基準レベルと比較しないため比較材料が乏しく、音楽が流れているのにスキップする等の誤作動がおこり、無記録領域を飛ばす機能の正確性の向上を妨げるという問題がある。
そこで、本発明は上記の課題を解消すべく創造されたものであり、再生信号の比較方法を工夫して、無記録領域を飛ばす機能における正確性の向上を図るようにした信号再生装置及び信号再生方法を提供することを目的とする。
【０００４】
【課題を解決するための手段】
上述した課題は、複数の音楽信号が楽曲の演奏時間情報と共に記録された記録領域と、当該記録領域間に設けられた無記録領域とを有する記録媒体を再生する信号再生装置において、記録媒体の記録領域から音楽信号を読み出して再生する記録再生手段と、無記録領域を飛ばして音楽信号を再生するように記録再生手段を制御する制御手段とを備え、制御手段は、予め音楽信号の終了直前の所定長さを設定され、再生される所定の音楽信号の演奏時間情報を、記録媒体から読み出して記憶し、再生される所定の音楽信号を伝達され、所定の音楽信号の演奏時間情報と終了直前の所定長さとに基づいて、伝達される所定の音楽信号が演奏終了直前の記録領域に到達したか否かを監視し、終了直前の記録領域に到達したら、所定の音楽信号の中から特定の周波数帯の音楽信号を順次抽出し、抽出された特定の周波数帯の音楽信号のレベルと、予め周波数帯毎に設定された基準レベルとを順次比較し、音楽信号のレベルが基準レベルよりも低い基準未満時間が、予め設定された所定時間以上続いたか否かを判定し、当該基準未満時間が所定時間以上続いた場合に、所定の音楽信号の記録領域から無記録領域を飛ばして、次の記録領域を再生するように制御することを特徴とする信号再生装置によって解決される。
【０００５】
本発明によれば、記録再生手段によって記録媒体から信号が読み出されて再生されると、その記録再生手段による信号再生処理が、予め設定された記録領域の終了直前の所定長さの記録領域に到達したかが制御手段によって検出されると共に、制御手段によって終了直前の記録領域から再生された信号の中から特定の周波数の信号が抽出される。この抽出された信号のレベルと予め設定された基準レベルとが比較され、その比較結果に基づいて記録媒体の無記録領域を飛ばすように記録再生手段が制御される。このため、抽出信号の周波数のサンプル点を可変することで再生された信号の中から所望の周波数信号を基準レベルと比較できる。
【０００８】
【発明の実施の形態】
以下、図面を参照しながら、この発明の一実施形態としての信号再生装置及び信号再生方法について説明する。
図１は本発明に係る実施形態としての信号再生装置１００の構成例を示すブロック図である。この実施形態では、予め設定された記録領域の終了直前の所定長さの記録領域に記録再生手段による信号再生処理が到達したかを検出すると共に、終了直前の記録領域から再生された信号の中から特定の周波数の信号を抽出し、その抽出された信号のレベルと、予め設定された基準レベルとを比較し、その比較結果に基づいて記録媒体の無記録領域を飛ばすように記録再生手段を制御する制御手段を設け、無記録領域を飛ばす機能における正確性の向上を図るようにしたものである。なお、ここでは音楽信号が記録されたＣＤを再生することを前提とする。
【０００９】
図１に示す記録再生手段１０によって記録媒体としての例えばＣＤ５０等の記録領域ａに記憶された信号が読み出されて再生される。そしてその記録再生手段１０による信号再生処理が予め設定された記録領域ａの終了直前の所定長さｔの記録領域に到達したか否かが制御手段２０によって検出される。信号再生処理が所定長さｔに到達していれば終了直前の記録領域ａから信号再生処理された音楽信号のレベルと、予め設定された基準レベルとが比較され、その比較結果に基づいてＣＤ５０の無記録領域ｂを飛ばすように制御手段２０によって記録再生手段１０が制御される。
【００１０】
図２は信号再生装置１００の構成例を示すブロック図である。図２に示す例えばＣＤプレーヤ（記録再生手段）１１等は例えばマイクロコンピュータ（制御手段）２１（Micro Computer：以下、マイコンという。）等に接続されている。このＣＤプレーヤ１１はＣＤ５０に記録された音楽信号を読み出して再生すると共に、その音楽信号からなる楽曲の演奏時間等も読み出す。その演奏時間を例えば演奏時間信号Ｊとして記憶するマイコン２１には再生された音楽信号が伝達される例えばＡ／Ｄ変換ポート２２等が設けられている。
【００１１】
そのＡ／Ｄ変換ポート２２に伝達された音楽信号を、記憶した演奏時間信号（情報信号）Ｊを基に信号再生処理が演奏終了直前の例えば１０秒以内であるか否かをマイコン２１が監視するようになされる。このマイコン２１は信号再生処理が演奏終了直前の１０秒以内に到達していれば、信号再生処理された音楽信号レベルと予め設定された基準レベルとを比較し始める。
【００１２】
この基準レベルを例えば０７ｈ（７／２５６レベル：可聴レベル）等とし、音楽信号のレベルが０７ｈ未満のレベルで例えば５００msec間以上存在する場合にマイコン２１はＣＤプレーヤ１１にスキップ信号Ｓを発生し、このスキップ信号ＳによりＣＤプレーヤ１１は再生している楽曲を停止させ、次の楽曲を再生することで図１に示した無記憶領域ｂを飛ばすようになされている。なお、ＣＤプレーヤ１１、マイコン２１及びＡ／Ｄ変換ポート２２はこれに限定されるものではなく同じ効果を奏するものであればよい。
【００１３】
また、Ａ／Ｄ変換ポート２２には例えば周波数分析器（周波数抽出手段）３０等が接続されており、この周波数分析器３０は例えば７バンドのフィルタ列を有している。ここでマイコン２１は例えば７つの周波数帯バンドを再生された音楽信号から順次抽出する抽出信号Ｖｆｉ（ｉ＝１〜７）を周波数分析器３０に発生する。この抽出信号Ｖｆｉによって周波数分析器３０が順次信号を抽出してＡ／Ｄ変換ポート２２に伝達する。なお、周波数分析器３０はこれに限定されるものではなく同じ効果を奏するものであればよい。
【００１４】
ここで、無記録領域を飛ばすブランクスキップ機能の開始と停止を制御する例えばブランクスキップキー４１等はマイコン２１に接続される。マイコン２１に接続された例えばメモリ４０等はブランクスキップ機能をＯＦＦするか、又は本装置への通電が遮断されるまでブランクスキップ機能を保存する。なお、ブランクスキップキー４１及びメモリ４０はこれに限定されるものではなく同じ効果を奏するものであればよい。
【００１５】
図３は信号再生装置１００における比較例を示す概念図である。図３に示すＣＤ５０の記録領域ａにおいて終了直前の１０秒以内のｗ１地点に信号再生処理がくると、その時の例えば音楽信号のレベルｍが基準レベルである０７ｈと比較され始める。そして、信号再生処理がｗ２地点にくると、その時の例えば音楽信号のレベルｎは基準レベルである０７ｈ未満であり、このとき音楽信号のレベルｎが５００msec間以上続いていれば無記録領域ｂを飛ばして次の記録領域ｃを再生し始める。
【００１６】
次に、本発明に係る実施形態としての信号再生装置１００における動作例を説明する。
図４及び図５は信号再生装置１００の動作例（その１、２）を示すフローチャートである。この例では、曲の終了直前部分において、その音楽信号レベルが５００msec間以上続いている場合に次の曲の頭にジャンプすることを前提とする。これを前提として、まず、図４に示すステップＴ１で図２で示したブランクスキップキー４１が押下されたか否かが判断され、押下されていればステップＴ２へ、押下されていなければステップＴ３へ進む。ステップＴ２ではブランクスキップキー４１の受付が許可されているか否かが判定される。ここで、例えば他機能の選択中は受付禁止としたため録音機能やリバース機能等の他の機能を選択している場合はステップＴ１へ戻る。しかしここでは例えばブランクスキップ機能の設定前における他機能の選択は可能とした。
【００１７】
このステップＴ２で受付が許可されているとステップＴ４へ進み、すでにブランクスキップ機能がＯＮされているか否かが判定され、すでにＯＮされていた場合はステップＴ６でブランクスキップ機能がＯＦＦされて曲間をもつ通常再生となると共に、制御が終了される。ブランクスキップ機能がＯＮされていない場合は、ステップＴ５でブランクスキップ機能がＯＮされ、図５に示すステップＴ７へ進む。
【００１８】
このステップＴ７で再生中の音楽信号のレベルがゼロ（図３で示した無記録領域ｂ）であるか否かを図２に示した音楽分析信号Ｈをマイコン２１がＡ／Ｄ変換ポート２２で監視することで判定する。音楽分析信号Ｈがゼロの場合は、ステップＴ１１へ進みマイコン２１からのスキップ信号Ｓを受信したＣＤプレーヤー１１により図３に示した信号再生処理が行われている記録領域ａから無記録領域ｂがスキップされて次の記録領域ｃが信号再生処理される。音楽分析信号Ｈがゼロでない場合は、ステップＴ８で曲の終わりから１０秒以内を再生中であるか否かをマイコン２１が情報信号Ｊとして記憶した演奏終了時間に基づいて判定し、１０秒以内でない場合はステップＴ７に戻り、１０秒以内である場合はステップＴ９に進む。
【００１９】
このステップＴ９でマイコン２１が抽出信号Ｖｆｉ（ｉ＝１〜７）を順次発生し、周波数分析器３０が再生された音楽信号を音楽分析信号Ｈとして順次周波数帯バンド別に抽出し、その抽出された音楽信号のレベルが予め設定された０７ｈの基準レベル未満であるか否かをマイコン２１がＡ／Ｄ変換ポート２２で比較することで判定する。０７ｈ以上であれば再びステップＴ９を行い、０７ｈ未満であればステップＴ１０へ進む。このステップＴ１０で音楽分析信号Ｈに０７ｈ未満の音楽信号レベルが５００msecの間以上存在するか否かをマイコン２１により判定される。
【００２０】
０７ｈ未満の音楽信号レベルが５００msecの間未満である場合はステップＴ９へ戻り、０７ｈ未満の音楽信号レベルが５００msec間以上存在する場合はステップＴ１１へ進み、マイコン２１からのスキップ信号Ｓを受信したＣＤプレーヤー１１により図３に示した信号再生処理が行われている記録領域ａから無記録領域ｂがスキップされて次の記録領域ｃが信号再生処理される。そして、ステップＴ７へ戻りその信号再生処理されている記録領域ｃが同様に監視される。ここで、図４に示したステップＴ３でブランクスキップ機能が予めＯＮされてない場合は制御が終了され、ブランクスキップ機能が予めＯＮされている場合はステップＴ７に進み、上述したように制御される。
【００２１】
このため、曲の終了直前で無記録領域を飛ばして連続再生することができる。また、再生された音楽信号を７つの周波数帯バンド毎に抽出しＡ／Ｄ変換ポート２２に順次伝達し、その伝達された音楽信号のレベルと基準レベルとを順次比較するのでブランクスキップ機能の正確性を向上することができる。
【００２２】
このように、本発明に係る実施形態としての信号再生装置１００によれば、ＣＤプレーヤー２０が音楽ＣＤから音楽信号を読み出すための信号再生が、再生中の曲の終了１０秒前に到達したときに、マイコン２１から抽出信号Ｖｆｉ（ｉ＝１〜７）が順次発生されて、その抽出信号Ｖｆｉ（ｉ＝１〜７）によって周波数分析器３０が再生された音楽信号から７つの周波数帯バンド毎に音楽信号を順次抽出するようになされる。そしてその抽出された音楽信号が０７ｈ未満のレベルで５００msec間以上存在したときにマイコン２１がＣＤ５０の無記録領域を飛ばすので、曲の終了直前で連続再生できる。加えて、別途ハードを追加せずとも、装置の制御をソフト的に改良するだけでよいので容易かつ安価にすることができる。
【００２３】
【発明の効果】
以上説明したように、本発明によれば、記録媒体から信号を読み出す信号再生が、予め設定された記録領域の終了直前に到達したときに、その終了直前の記録領域から再生された信号の中から特定の周波数の信号を抽出し、その抽出された信号のレベルと、予め設定された基準レベルとを比較し、その比較結果に基づいて記録媒体の無記録領域を飛ばすように記録再生手段を制御する制御手段を設けるものである。
この構成によって、被抽出信号の周波数のサンプル点を可変することで再生された信号の中から所望の周波数信号を基準レベルと比較できる。
【００２４】
また、この発明に係る信号再生方法によれば、終了直前の記録領域から再生された信号の中から特定の周波数の信号を順次抽出して、その抽出された信号のレベルと予め設定された基準レベルとを順次比較して、その比較結果に基づいて記録媒体の無記録領域を飛ばすようにしたものである。
従って、無記録領域を飛ばす機能における正確性の向上を図ることができる。
この発明は、ＣＤ及びＭＤ等の信号再生装置に用いて極めて好適である。
【図面の簡単な説明】
【図１】本発明に係る実施形態としての信号再生装置１００の構成例を示すブロック図である。
【図２】その実施例としての信号再生装置１００の構成例を示すブロック図である。
【図３】その信号再生装置１００による比較例を示す概念図である。
【図４】その信号再生装置１００の動作例（その１）を示すフローチャートである。
【図５】その信号再生装置１００の動作例（その２）を示すフローチャートである。
【符号の説明】
１１  ＣＤプレーヤー（記録再生手段）
２１  マイクロコンピュータ（制御手段）
３０  周波数分析器（周波数抽出手段）
１００  信号再生装置
【図１】
0004069544.tif 000002
【図２】
0004069544.tif 000003
【図３】
0004069544.tif 000004
【図４】
0004069544.tif 000005
【図５】
0004069544.tif 000006